(57)【要約】【課題】  耐震作用と制震作用の両機能を発揮し、地震等の振動を効率よく減衰させ、構造物の剛性を高める小型で取り扱いの容易な制震金具および制震装置を提供することにある。【解決手段】  それぞれ一辺に直角に折り曲げた取り付け片を有する略同形の一対の鋼板１，２と、この一対の鋼板を上記取り付け片が互いに直交するように重ね合わせた両鋼板を支持する支持鋼板８と、この支持鋼板と前記鋼板との間に挟着し該支持鋼板に固定した金属性摩擦板３と、一端を一方の鋼板に固定し、他端を他方の鋼板に固定した少なくとも１本以上の棒状の板バネ４とを備えたものである。【選択図】        図１
0003105038.tif 000002
【実用新案登録請求の範囲】
【請求項１】
それぞれ一辺に直角に折り曲げた取り付け片を有する略同形の一対の鋼板と、この一対の鋼板を上記取り付け片が互いに直交するように重ね合わせた両鋼板を支持する支持鋼板と、この支持鋼板と前記鋼板との間に挟着し該支持鋼板に固定した金属性摩擦板と、一端を一方の鋼板に固定し、他端を他方の鋼板に固定した少なくとも１本以上の棒状の板バネとを備えた制震金具。
【請求項２】
金属性摩擦板は、支持鋼板に溶接して支持させたことを特徴とする請求項１記載の制震金具。
【請求項３】
金属性摩擦板は、支持鋼板の凹部に嵌合して支持させたことを特徴とする請求項１記載の制震金具。
【請求項４】
棒状の板バネの一端を一方の鋼板の外側に取り付け、上記棒状の板バネの他端を上記一方の鋼板に設けた窓孔を通して他方の鋼板に取り付けた請求項１記載の制震金具。
【請求項５】
棒状の板バネの一端を一方の鋼板の外側に設けた取り付け台に取り付け、上記棒状の板バネの他端を上記一方の鋼板に設けた窓孔に嵌合して露出した他方の鋼板に設けた取り付け台に取り付けことを特徴とする請求項１記載の制震金具。
【請求項６】
取り付け台は、板バネの端部を係止する凹部を有することをことを特徴とする請求項５記載の制震金具。
【請求項７】
取り付け台および棒状の板バネを覆うカバーを一方の鋼板の外側に設けたことを特徴とする請求項１記載の制震金具。
【請求項８】
請求項１〜７のうちのいずれか１項記載の制震金具を用い、この制震金具の一方の鋼板を構造物の柱に取り付け、他方の鋼板を構造物の土台または梁に取り付けた制震装置。
【考案の詳細な説明】
【技術分野】
【０００１】
この考案は、建物等の構造物の震動を低減するために用いる制震金具および制震装置に関するものである。
【背景技術】
【０００２】
図１４、図１５は従来の制震金具の使用状態を示す図であり、この制震金具は略同一形状をした一対の平板状の後板１５１および前板１５２と、この両板の間隙に挟着された粘弾性体１５３とから構成されている。そして、この制震金具は柱１０１の間に多段に横設された相対する横部材１０２の間に設置され、上部横部材１０２ａには平板状の後板１５１をボルト１５４で固定し、下部横部材１０２ｂには平板状の前板１５２をボルト１５４で固定する。
【０００３】
そして、図１６に示すように、構造物に対して水平方向に振幅値Ｖ０の振動が加えられた場合には、後板１５１と前板１５２とが水平方向に沿って相対的に振幅値Ｖ０と一致する振幅作動をするため、このとき生ずる粘弾性体１５３の剪断変形に伴う抵抗力を通じて振動エネルギを消費し、振動を低減せしめている。
【０００４】
しかし、後板１５１と前板１５２の振幅作動量は、加えられた振動の振幅幅Ｖ０と同じ値であって、粘弾性体１５３の抵抗力はこの振幅作動量に対して一義的に定まるため、最大許容振幅値以外の振幅幅に対しては十分な抵抗力を得ることができないという課題があった。
【０００５】
そこで、上記構成の制震金具を２以上設置して力学的特性の異なる粘弾性体を２種類以上用い、横部材１０２に対する制震金具の後板１５１と前板１５２の取り付け距離をＬ、上下横部材の距離をｈとしたとき、両者の比である変換係数βを粘弾性体の力学的特性に応じて選定するものが提案されている（例えば特許文献１参照）。
【０００６】
このような構成とすることにより、種々の振幅幅に対しても大きな抵抗力を得ることができ、構造物の振動を効率よく低減することができる。
【０００７】
【特許文献１】特許第２６１０２４３号公報（第３欄第１５行目〜第３６行目および図１８〜図２０）。
【考案の開示】
【考案が解決しようとする課題】
【０００８】
従来の制震金具は以上のように構成されているので、２以上設置する制震装置では、形状が大型化し、コストアップとなる。また、構造物の剛性を高めるものとして耐震金具が有り、又地震等の振動を減衰させるものとして制震・免震工法があるが、この二つは目的が異なり、未だに耐震金具と制震作用を合わせ持った製品は存在していない。このため、木造住宅においては装着の工夫が必要とされ、取扱いが容易ではなかった。
【０００９】
この考案は上記のような従来の課題を解消するためになされたもので、地震による大きな振動エネルギーに対して十分耐える耐震作用と、地震のみならず建物に伝わる交通・風等による震動エネルギーを吸収する制震作用の両機能を備えた小型で取り扱いの容易な制震金具および該制震金具を使用した制震装置を安価に得ることを目的とする。
【課題を解決するための手段】
【００１０】
この考案に係る制震金具は、それぞれ一辺に直角に折り曲げた取り付け片を有する略同形の一対の鋼板と、この一対の鋼板を上記取り付け片が互いに直交するように重ね合わせた両鋼板を支持する支持鋼板と、この支持鋼板と前記鋼板との間に挟着し該支持鋼板に固定した金属性摩擦板と、一端を一方の鋼板に固定し、他端を他方の鋼板に固定した少なくとも１本以上の棒状の板バネとを備えたものである。
【００１１】
この考案に係る制震金具における金属性摩擦板は、支持鋼板に溶接して支持させたものである。
【００１２】
この考案に係る制震金具における金属性摩擦板は、支持鋼板の凹部に嵌合して支持させたものである。
【００１３】
この考案に係る制震金具は、棒状の板バネの一端を一方の鋼板の外側に取り付け、上記棒状の板バネの他端を上記一方の鋼板に設けた窓孔を通して他方の鋼板に取り付けたものである。
【００１４】
この考案に係る制震金具は、棒状の板バネの一端を一方の鋼板の外側に設けた取り付け台に取り付け、上記棒状の板バネの他端を上記一方の鋼板に設けた窓孔に嵌合して露出した他方の鋼板に設けた取り付け台に取り付けたものである。
【００１５】
この考案に係る制震金具における取り付け台は、板バネの端部を係止する凹部を有するものである。
【００１６】
この考案に係る制震金具は、取り付け台および棒状の板バネを覆うカバーを一方の鋼板の外側に設けたものである。
【００１７】
この考案に係る制震装置は、この考案に係る制震金具を用い、この制震金具の一方の鋼板を構造物の柱に取り付け、他方の鋼板を構造物の土台または梁に取り付けたものである。
【考案の効果】
【００１８】
以上のように、この考案によれば、それぞれ一辺に直角に折り曲げた取り付け片を有する略同形の一対の鋼板と、この一対の鋼板を上記取り付け片が互いに直交するように重ね合わせた両鋼板の間隙に挟着した粘弾性体と、一端を一方の鋼板に固定し、他端を他方の鋼板に固定した少なくとも１本以上の棒状の板バネとを備えた構成としたので、金属性摩擦板の摩擦力によって地震による大きな振動エネルギーに対しても十分耐えることのできるとともに、板バネの弾性力によって地震のみならず建物に伝わる交通・風等による震動エネルギーを効率よく吸収して減衰力を発揮することができ、メンテナンスの必要がなく、半永久的に使用できるという効果がある。
【００１９】
また、この考案によれば、金属性摩擦板は支持鋼板の凹部に嵌合させ、支持鋼板に鋼板を取り付けたとき、この金属性摩擦板は支持鋼板と鋼板との間に挟持されるように構成したので、金属性摩擦板を組み付けるための部品点数が少なく、組み付け作業が極めて簡単容易であり、組み付け精度のバラツキを軽減できる。従って、軽量、小型化され、取り扱いが容易で、メンテナンスの必要がなく、半永久的に使用できるという効果がある。
【００２０】
また、この考案によれば、棒状の板バネの一端を一方の鋼板の外側に取り付け、上記棒状の板バネの他端を上記一方の鋼板に設けた窓孔から他方の鋼板に取り付けた構成であるから、板バネの取り付けが容易であるという効果がある。
【００２１】
また、この考案によれば、棒状の板バネの一端を一方の鋼板の外側に設けた取り付け台に取り付け、上記棒状の板バネの他端を上記一方の鋼板に設けた窓孔に嵌合した他方の鋼板に設けた取り付け台に取り付けるように構成したので、板バネの取り付けがより容易であるという効果がある。
【００２２】
また、この考案によれば、取り付け台は、板バネの端部を係止する凹部を有するように構成したので、外部振動によって板バネに捩れ力が加わっても、取り付け台から板バネ端部が離脱することがなく、耐久性に富んだ制震金具が得られるという効果がある。
【００２３】
また、この考案によれば、一方の鋼板の外側に取り付け台および棒状の板バネを覆うように取り付けたカバーを設けた構成としたので、板バネおよび取り付け台が外部に露出することがなく、外観体裁が良いという効果がある。
【００２４】
また、この考案の制震金具を用い、この制震金具の一方の鋼板を構造物の柱に取り付け、他方の鋼板を構造物の土台または梁に取り付けた構成としたので、耐震金具としての機能を発揮して、構造物としての木造住宅の剛性を高める効果がある。
【実施例１】
【００２５】
以下、この考案の実施例を図面について説明する。
図１はこの考案の実施例１を示す制震金具の分解斜視図、図２は制震金具を構成する一方の鋼板の外面に板バネを取り付けた状態の平面図と正面図および左側面図、図３は制震金具を構成する他方の鋼板の平面図と正面図および左側面図、図４は上記一方の鋼板の外面に取り付けるカバーの平面図、図５は組立状態の裏面側斜視図、図６は組立状態の表面側斜視図、図７は図６のＡ−Ａ線に沿う拡大横断面図、図８はカバーを取り除いた制震金具の平面図である。
【００２６】
図において、鋼板１は、一部の角を切除した略四角形をなし、その一辺には直角に折り曲げた取り付け片１１が形成されているとともに、鋼板１の平面部には組立てボルトを通す穴１２が三角形の各頂点に略一致するように形成され、角を切除した近傍には四角な窓孔１３が形成されている。また、この鋼板１の平面部外面には板バネ４の一端を取り付ける取り付け台７が設けられ、この取り付け台７および板バネ４を覆う横断面コ字形のカバー５を取り付けるねじ穴６が形成されている。
【００２７】
このカバー５は横断面コ字型をなし、開口側両側を外側へ直角に折り曲げて取り付け片５１を形成し、その取り付け片５１には図４に示すように、取り付けねじ５２の通し穴５３が形成されている。
【００２８】
鋼板２は、鋼板１と略同形をなし、その一辺に直角に折り曲げた取り付け片２１が形成され、鋼板１と重ね合わせたとき該鋼板１の穴１２に対向する位置にボルトを通し該ボルトが自由に動くことができる大きさの穴２２を有するともに、鋼板１の窓孔１３に嵌合して該鋼板の外側に露出する位置に板バネ４を取り付ける取り付け台２３が設けられている。この取り付け台２３には板バネ４の端部を係合する凹部２３ａが設けられている。この場合、取り付け台２３は窓孔１３に嵌合し、該窓孔内で前後左右に自由に動ける寸法関係（例えば、１／１５ラジアン）になっている。
【００２９】
金属性摩擦板３は自動車のブレーキシュー等に用いられる、鋳鉄、青銅、焼結合金等を基材としたもので、略中央部にボルトと押し穴３ａを有する。また、支持鋼板８は一枚の平板であって、一対の鋼板１，２同士を固定する複数本の固定部材９（例えばボルト）を一体的に有し、且つ、金属性摩擦板３を取り付けるボルト通し穴８ａを有している。
【００３０】
次に上記各構成要素の組み付け方について説明する。先ず、図９に示すように、金属性摩擦板３をボルト通し穴３ａが支持鋼板８のボルト通し穴８ａに連通するように該支持鋼板の内面に配設し、金属性摩擦板３の外側に配設した取り付けバンド３ｂ、３ｂを該金属性摩擦板３および支持鋼板８に溶接固定する。
【００３１】
ついで、鋼板１，２を取り付け片１１，２１が互いに直交するように重ね合わせ、図１０に示すように、その鋼板２の内面に設けたボルト３５を金属性摩擦板３のボルト通し穴３ａに通して該金属性摩擦板を組み付けた後、支持鋼板８に設けた３本のボルト９を鋼板２の３箇所の穴２２から鋼板１の３箇所の穴１２に通して該鋼板に重ね合わせるとともに、連通する金属性摩擦板３と支持鋼板８のボルト通し穴８ａに鋼板２の下側に突出させたボルト３５を通し、支持鋼板８の下面に突出したボルト３５にナット３６を螺合して固定し、この金属性摩擦板３を挟持した状態で、重ね合わせた鋼板１、２の穴１２，２２に通したボルト９にナット１０を螺合して全体を一体的に固定する。
【００３２】
この固定により、鋼板２に設けた板バネ４の取り付け台２３が鋼板１の窓孔１３から該鋼板１の外面に突出する。そこで、一端を鋼板１の外側に設けた取り付け台７に取り付けた棒状の板バネ４の他端を、窓孔１３から鋼板１の外面に突出した鋼板２側の取り付け台２３に取り付けた後、この取り付け台７，２３及び板バネ４をカバー５で覆い、このカバー５を穴５３に通してねじ穴６に螺合したねじ５２で鋼板１に取り付ける。
【００３３】
以上のように実施例１によれば、鋼板２と支持鋼板８との間に金属性摩擦板３を挟着したので、鋼板２と金属性摩擦板３との摩擦力によって、地震による大きな振動エネルギーに対しても十分耐えることのできるとともに、一端を一方の鋼板に固定し、他端を他方の鋼板２に固定した少なくとも１本以上の板バネ４を設けたので、この板バネ４の弾性力によって地震のみならず建物に伝わる交通・風等による震動エネルギーを効率よく吸収して減衰力を発揮することができ、メンテナンスの必要がなく、半永久的に使用できるという効果がある。
【実施例２】
【００３４】
上記実施例１では、金属性摩擦板３を支持鋼板８に取り付けバンド３ｂ、３ｂを用いて溶接固定している。しかし、この構成では、金属性摩擦板３の支持鋼板８に対する取り付け作業が面倒である。そこで、この実施例２では、この取り付け作業が簡単にできるようにしたもので、図１１に示すように、支持鋼板８の中央部に金属性摩擦板３が嵌合する凹部６０を設けた構成である。
【００３５】
この実施の例２は、上記の構成であるから、金属性摩擦板３は各部品の組み付け時に支持鋼板８の凹部６０に嵌合し、支持鋼板８を鋼板２の下面に組み付けるだけでよいもので、金属性摩擦板を組み付けるための部品点数が少なく、組み付け作業が極めて簡単容易であり、組み付け精度のバラツキを軽減できる、従って、軽量、小型化され、取り扱いが容易で、メンテナンスの必要がなく、半永久的に使用できるという効果がある。
【実施例３】
【００３６】
図１２は上記のようにして組み立てた制震金具を、構造物としての木造住宅の耐久性、耐震性を高めために使用した状態を示す制震装置の斜視図あり、上記制震金具を構成する一方の鋼板１の取り付け片１１を柱１６に木ねじ、釘等３１で取り付けるとともに、他方の鋼板２の取り付け片２１を梁１７に木ねじ、釘等３２で取り付けたものである。なお、図１２では制震金具の使用状態を示した概要図であり、カバー５および該カバーで覆われる板バネ４と該板バネの端部を取り付ける取り付け台７，２３は図示を省略している。
【００３７】
このように制震金具を取り付けることにより、柱１６から梁１７に作用する外力によって、柱１６及び梁１７が２点鎖線で示すように変位することを、制震金具の構成要素である金属性摩擦板３の摩擦力および板バネ４の弾性復元力が抑え、すべての振動エネルギーを効率良く消費するように機能する。この結果、図１３に示すように、上記実施例１の制震金具を使用した場合（太い実線）と、使用しない場合（細い実線）とを対比させた、時間に対する変位の特性図から明らかなように、実施例１の制震金具を使用することにより、変位を極めて小さくすることができた。
【００３８】
そして、上記の鋼板１と鋼板２は３本のボルト９により固定されるが、このボルト９は鋼板２に開けられた穴１２内を可動出来るように設計されており、この穴１２の範囲は震動による最大差異剪断変形に対応できるように設定されている。従って、これにより地震のみならず建物に伝わる交通・風による振動等による震動エネルギーも効率よく、かつ確実に減衰せしめることができる。
【００３９】
以上のように、この実施の例３によれば、柱１６から梁１７に作用する外力を、制震金具の構成要素である板バネ４および金属性摩擦板３の摩擦力が抑え、すべての振動エネルギーを効率良く消費するように機能するので、地震のみならず建物に伝わる交通・風等による震動エネルギーも効率よく、かつ確実に減衰せしめることができ、耐震作用と制震作用を発揮することができる。
【００４０】
上記実施例１、２によれば、鋼板１の外側に取り付け台７を設けているが、この取り付け台７は予めカバー５の内部に設け、この取り付け台７に板バネ４の一端を取り付けておいてもよい。この場合は、板バネ４の他端（自由端）を鋼板１の穴１２から突出した鋼板２の取り付け台２３の凹部２３ａに係合させた後、カバー５を鋼板１の外面に取り付ける。
【００４１】
また、互いに取り付けた鋼板１，２の対向内面の一方に板バネ４の一端を、他方に板バネの他端を取り付けてもよい。この構成においても、板バネ４と金属性摩擦板３の摩擦力の組み合わせによって、すべての振動エネルギーを効率良く消費するとともに、実施の例１における板バネ４を覆うカバー５を必要としなくなるため、より構成を簡略化し、安価に得ることができる。さらに、鋼板１，２の対向内面に該両鋼板によって挟圧されるように弾性板を介在させてもよい。この弾性板を介在させると、板バネの弾性力と相俟って交通・風等による震動エネルギーをより効率よく吸収し、減衰力を発揮することができる。
【図面の簡単な説明】
【００４２】
【図１】この考案の実施例１を示す制震金具の分解斜視図である。
【図２】この制震金具を構成する一方の鋼板の外面に板バネを取り付けた状態の平面図と正面図および左側面図である。
【図３】この制震金具を構成する他方の鋼板の平面図と正面図および左側面図である。
【図４】この制震金具を構成する一方の鋼板の外面に取り付けるカバーの平面図である。
【図５】組立状態の表面側を示す斜視図である。
【図６】組立状態の裏面側を示す斜面図である。
【図７】図６のＡ−Ａ線に沿う横断側面図である。
【図８】カバーを取り除いた制震金具の平面図である。
【図９】金属性摩擦板を取り付けた支持鋼板の平面図である。
【図１０】支持鋼板との間に金属性摩擦板を挟持する鋼板の平面図である。
【図１１】この考案の実施例２を示す制震金具の横断側面図である。
【図１２】この考案の実施例３を示す制震金具の使用状態図である。
【図１３】この制震金具を取り付けた場合と取り付けなかった場合において、構造物に外部振動が加わったときの時間に対する変位の関係を示す特性図である。
【図１４】従来の制震金具の使用状態図である。
【図１５】図１の矢示方向から見た図である。
【図１６】その制震金具の使用状態図である。
【符号の説明】
【００４３】
１  鋼板
２  鋼板
３  金属性摩擦板
４  板バネ
５  カバー
６  穴
７  取り付け台
８  支持鋼板
９  ボルト（固定部材）
１０  ナット
１１  取り付け片
１２  穴
１３  窓穴
２１  取り付け片
２２  穴
２３  取り付け台
３５  ボルト
３６  ナット
６０  凹部
【図１】
0003105038.tif 000003
【図２】
0003105038.tif 000004
【図３】
0003105038.tif 000005
【図４】
0003105038.tif 000006
【図５】
0003105038.tif 000007
【図６】
0003105038.tif 000008
【図７】
0003105038.tif 000009
【図８】
0003105038.tif 000010
【図９】
0003105038.tif 000011
【図１０】
0003105038.tif 000012
【図１１】
0003105038.tif 000013
【図１２】
0003105038.tif 000014
【図１３】
0003105038.tif 000015
【図１４】
0003105038.tif 000016
【図１５】
0003105038.tif 000017
【図１６】
0003105038.tif 000018